(57)【要約】【課題】ペン先出没時にペン先を損傷させたり、筆記体のペン先近傍をインキで汚したりするおそれがなく、しかも、部品点数の増加を抑え、安価に提供することが可能な出没式筆記具を提供する。【解決手段】前端にペン先３１を保持する筆記体３を軸筒２内部に軸方向に移動可能に収容する。ペン先３１を軸筒２の前端孔２１より出没自在に構成する。外面に球面状シール部５１を有する蓋体５を軸筒２の前端部内部に回動可能に設ける。蓋体５の内面に内側カム部６を形成する。筆記体３のペン先保持部の外面に、内側カム部６と摺接可能な外側カム部４を形成する。ペン先突出過程及びペン先没入過程で、内側カム部６と外側カム部４とを摺接させることにより、蓋体５を回動させて前端孔２１を開閉させる。【選択図】  図２
0003155532.tif 000002
【実用新案登録請求の範囲】
【請求項１】
前端にペン先を保持する筆記体を軸筒内部に軸方向に移動可能に収容し、前記ペン先を前記軸筒の前端孔より出没自在に構成し、外面に球面状シール部を有する蓋体を軸筒の前端部内部に回動可能に設け、前記蓋体を前方に付勢する弾発体を軸筒内部に設け、ペン先没入時、前記蓋体の球面状シール部を前端孔に密接させることにより前端孔を閉鎖し、ペン先突出時、前記蓋体の球面状シール部と前端孔との密接を解除することにより前端孔を開放してなる出没式筆記具であって、前記蓋体の内面に内側カム部を形成し、前記筆記体のペン先保持部の外面に、前記内側カム部と摺接可能な外側カム部を形成し、ペン先没入状態からペン先突出状態にする過程で、前記内側カム部と前記外側カム部とを摺接させることにより、前記蓋体を回動させて前端孔を開放し、ペン先突出状態からペン先没入状態にする過程で、前記内側カム部と前記外側カム部とを摺接させることにより、前記蓋体を回動させて前端孔を閉鎖してなることを特徴とする出没式筆記具。
【請求項２】
前記内側カム部が、第１カム部と第２カム部とからなり、前記外側カム部が、前記第１カム部と摺接可能な第１摺接部と、前記第２カム部と摺接可能な第２摺接部とからなり、ペン先没入状態からペン先突出状態にする過程で、前記第１カム部と前記第１摺接部とを摺接させることにより、前記蓋体を回動させて前端孔を開放し、ペン先突出状態からペン先没入状態にする過程で、前記第２カム部と前記第２摺接部とを摺接させることにより、前記蓋体を回動させて前端孔を閉鎖してなる請求項１記載の出没式筆記具。
【請求項３】
前記内側カム部が、蓋体の内面に一体に形成された突出部からなり、前記内側カム部の周面に第１カム部と前記第２カム部とを形成した請求項２記載の出没式筆記具。
【請求項４】
前記外側カム部が、筆記体の外面に一体に形成した、軸線に対して傾斜した傾斜壁部よりなる第１摺接部と、筆記体の外面の前記第１摺接部から僅かに離れた位置に一体に形成した突起よりなる第２摺接部とからなる請求項２または３記載の出没式筆記具。
【請求項５】
前記内側カム部を、蓋体の内面の両側対称位置に、一対、形成し、前記外側カム部を、筆記体のペン先保持部の外面の両側対称位置に、一対、形成した請求項１乃至４のいずれかに記載の出没式筆記具。
【請求項６】
前記筆記体のペン先保持部の前端部外面に外側カム部を形成した請求項１乃至５のいずれかに記載の出没式筆記具。
【請求項７】
ペン先没入状態からペン先突出状態にする過程で、前記第１カム部と前記第１摺接部とを摺接させ、且つ、前記第２カム部と前記第２摺接部とを非摺接状態にさせ、ペン先突出状態からペン先没入状態にする過程で、前記第２カム部と前記第２摺接部とを摺接させ、且つ、前記第１カム部と前記第１摺接部とを非摺接状態にさせる請求項２乃至６のいずれかに記載の出没式筆記具。
【請求項８】
ペン先突出状態で、外側カム部が内側カム部よりも前方に位置する請求項１乃至７のいずれかに記載の出没式筆記具。
【請求項９】
蓋体の外面の両側対称位置に外側軸部を設け、軸筒の前端部内面の両側対称位置に、前記外側軸部と係合可能な内側軸部を設け、前記外側軸部または前記内側軸部が凹設され、前記凹設された外側軸部または前記内側軸部が、前端孔の開放方向の蓋体の回動を規制する第１規制壁部と、前端孔の閉鎖方向の蓋体の回動を規制する第２規制壁部とを備え、前記外側軸部と前記内側軸部とを係合させることにより、前記蓋体を所定範囲内において回動可能に構成した請求項１乃至８のいずれかに記載の出没式筆記具。
【考案の詳細な説明】
【技術分野】
【０００１】
本考案は、出没式筆記具に関する。詳細には、軸筒の前端部内部に球面状シール部を有する蓋体を回動可能に設け、ペン先没入時に前記蓋体が前端孔を閉鎖し、ペン先突出時に前記蓋体が前端孔を開放する出没式筆記具に関する。
【背景技術】
【０００２】
従来、特許文献１には、軸筒の前端内部に回転栓体を回転自由に配置し、ペン先出没時に前端開口を開閉させる出没式筆記具が開示されている。
【０００３】
また、特許文献２には、軸筒の内部に、ボール状ドアとカートリッジとの間に、ボール状ドアを回転させるリンクを設けた出没式筆記具が開示されている。
【０００４】
【特許文献１】実公平６−１５７２８号公報
【特許文献２】特開２００５−２４６９７１号公報
【考案の開示】
【考案が解決しようとする課題】
【０００５】
ところが、前記特許文献１の出没式筆記具は、回転栓体を前端開口の閉鎖状態から開口状態にする際、ペン体を回転栓体の回転補助棒に当て、回転栓体を回転させる構造である。そのため、ペン体を損傷させたり、あるいは、回転補助棒に付着したインキがレフィールのペン体近傍に付着し、レフィールのペン体近傍をインキで汚したりするおそれがある。
【０００６】
また、前記特許文献２の出没式筆記具は、ボール状ドアとカートリッジとの間にリンクを介在させるため、部品点数が増加し、組立が複雑になり、安価に提供することが困難である。
【０００７】
本考案は、前記従来の問題点を解決するものであって、ペン先出没時にペン先を損傷させたり、筆記体のペン先近傍をインキで汚したりするおそれがなく、しかも、部品点数の増加を抑え、安価に提供することが可能な出没式筆記具を提供しようとするものである。
【課題を解決するための手段】
【０００８】
本願の第１の考案は、前端にペン先３１を保持する筆記体３を軸筒２内部に軸方向に移動可能に収容し、前記ペン先３１を前記軸筒２の前端孔２１より出没自在に構成し、外面に球面状シール部５１を有する蓋体５を軸筒２の前端部内部に回動可能に設け、前記蓋体５を前方に付勢する弾発体７を軸筒２内部に設け、ペン先没入時、前記蓋体５の球面状シール部５１を前端孔２１に密接させることにより前端孔２１を閉鎖し、ペン先突出時、前記蓋体５の球面状シール部５１と前端孔２１との密接を解除することにより前端孔２１を開放してなる出没式筆記具であって、前記蓋体５の内面に内側カム部６を形成し、前記筆記体３のペン先保持部の外面に、前記内側カム部６と摺接可能な外側カム部４を形成し、ペン先没入状態からペン先突出状態にする過程で、前記内側カム部６と前記外側カム部４とを摺接させることにより、前記蓋体５を回動させて前端孔２１を開放し、ペン先突出状態からペン先没入状態にする過程で、前記内側カム部６と前記外側カム部４とを摺接させることにより、前記蓋体５を回動させて前端孔２１を閉鎖してなることを特徴とする。
【０００９】
前記第１の考案の出没式筆記具１は、筆記体３のペン先保持部の外面に、内側カム部６と摺接可能な外側カム部４を形成したことにより、ペン先出没時にペン先３１が蓋体５に接触することを回避でき、ペン先出没時にペン先３１を損傷させたり、筆記体３のペン先３１近傍をインキで汚したりすることを防止できる。
【００１０】
また、前記第１の考案の出没式筆記具１は、蓋体５の内面に内側カム部６を形成し、筆記体３のペン先保持部の外面に、前記内側カム部６と摺接可能な外側カム部４を形成し、ペン先没入状態からペン先突出状態に移行する過程における蓋体５の回動作動と、ペン先突出状態からペン先没入状態に移行する過程における蓋体５の回動作動の両方の作動を、内側カム部６と外側カム部４との摺接により行なうことにより、筆記体３と蓋体５との間に、蓋体５を回動させる部品を配置することが不要となるため、部品点数を減少させることができ、組立が簡易となり、安価に提供することが可能となる。
【００１１】
本願の第２の考案は、前記第１の考案において、前記内側カム部６が、第１カム部６１と第２カム部６２とからなり、前記外側カム部４が、前記第１カム部６１と摺接可能な第１摺接部４１と、前記第２カム部６２と摺接可能な第２摺接部４２とからなり、ペン先没入状態からペン先突出状態にする過程で、前記第１カム部６１と前記第１摺接部４１とを摺接させることにより、前記蓋体５を回動させて前端孔２１を開放し、ペン先突出状態からペン先没入状態にする過程で、前記第２カム部６２と前記第２摺接部４２とを摺接させることにより、前記蓋体５を回動させて前端孔２１を閉鎖してなることを特徴とする。
【００１２】
前記第２の考案の出没式筆記具１は、ペン先没入状態からペン先突出状態にする過程（即ちペン先突出過程）と、ペン先突出状態からペン先没入状態にする過程（即ちペン先没入過程）とにおいて、内側カム部６と外側カム部４との摺接する箇所が異なる。それにより、内側カム部６及び外側カム部４の形状を高精度に形成することが不要となり、製造が容易となるとともに、製造ばらつきによる蓋体５の作動不良の発生を抑えることができる。
【００１３】
本願の第３の考案は、前記第２の考案において、前記内側カム部６が、蓋体５の内面に一体に形成された突出部からなり、前記内側カム部６の周面に第１カム部６１と前記第２カム部６２とを形成したことを特徴とする。
【００１４】
前記第３の考案の出没式筆記具１は、蓋体５の内面に内側カム部６を容易に形成できる。例えば、前記第３の考案の出没式筆記具１は、合成樹脂の一体成形により蓋体５の内面に内側カム部６を容易に形成できる。
【００１５】
本願の第４の考案は、前記第２乃至３のいずれかの考案において、前記外側カム部４が、筆記体３の外面に一体に形成した、軸線に対して傾斜した傾斜壁部よりなる第１摺接部４１と、筆記体３の外面の前記第１摺接部４１から僅かに離れた位置に一体に形成した突起よりなる第２摺接部４２とからなることを特徴とする。
【００１６】
前記第４の考案の出没式筆記具１は、筆記体３の外面に外側カム部４を容易に形成できる。例えば、前記第４の考案の出没式筆記具１は、合成樹脂の一体成形により筆記体３の外面に外側カム部４を容易に形成できる。
【００１７】
本願の第５の考案は、前記第１乃至第４のいずれかの考案において、前記内側カム部６を、蓋体５の内面の両側対称位置に、一対、形成し、前記外側カム部４を、筆記体３のペン先保持部の外面の両側対称位置に、一対、形成したことを特徴とする。
【００１８】
前記第５の考案の出没式筆記具１は、安定した蓋体５の回動が得られる。
【００１９】
本願の第６の考案は、前記第１乃至第５のいずれかの考案において、前記筆記体３のペン先保持部の前端部外面に外側カム部４を形成したことを特徴とする。
【００２０】
前記第６の考案の出没式筆記具１は、ペン先没入状態からペン先突出状態までのペン先３１の軸方向の移動量（ペン先移動ストローク）をできる限り小さく設定できる。それにより、ペン先３１の出没操作が容易となる。前記ペン先出没操作とは、例えば、後端ノック式の場合には、後端のノック体２６を前方に押圧する操作であり、回転式の場合には、操作部の回転操作である。さらに、前記第６の考案の出没式筆記具１は、外側カム部４の前端（第２摺接部４２の前端外面）とペン先保持部の前端面とを略一致するよう設けることが、一層、ペン先移動ストロークを小さく設定できる点で好ましい。
【００２１】
また、前記第６の考案の出没式筆記具１は、蓋体５の外径をできる限り小さく設定でき、その結果、前記蓋体５を収容する軸筒２の外径を小さくでき、スマートな細身の外観を有する軸筒２が得られる。
【００２２】
本願の第７の考案は、前記第２乃至第６のいずれかの考案において、ペン先没入状態からペン先突出状態にする過程で、前記第１カム部６１と前記第１摺接部４１とを摺接させ、且つ、前記第２カム部６２と前記第２摺接部４２とを非摺接状態にさせ、ペン先突出状態からペン先没入状態にする過程で、前記第２カム部６２と前記第２摺接部４２とを摺接させ、且つ、前記第１カム部６１と前記第１摺接部４１とを非摺接状態にさせることを特徴とする。
【００２３】
前記第７の考案の出没式筆記具１は、ペン先没入状態からペン先突出状態にする過程（即ち前端孔２１が開放する過程）で、第２カム部６２と第２摺接部４２とが、第１カム部６１と第１摺接部４１との摺接を阻害せず、ペン先突出状態からペン先没入状態にする過程（即ち前端孔２１が閉鎖する過程）で、第１カム部６１と第１摺接部４１とが、第２カム部６２と第２摺接部４２との摺接を阻害しない。その結果、ペン先没入状態からペン先突出状態にする過程で、第１カム部６１と第１摺接部４１との適正な摺接が得られ、且つ、ペン先突出状態からペン先没入状態にする過程で、第２カム部６２と第２摺接部４２との適正な摺接が得られる。
【００２４】
本願の第８の考案は、前記第１乃至第７のいずれかの考案において、ペン先突出状態で、外側カム部４が内側カム部６よりも前方に位置することを特徴とする。具体的には、本願の第８の考案は、ペン先突出状態で、第１摺接部４１が第１カム部６１よりも前方に位置し、且つ、第２摺接部４２が第２カム部６２よりも前方に位置することを特徴とする。
【００２５】
前記第８の考案の出没式筆記具１は、ペン先突出状態で、外側カム部４と内側カム部６とが非摺接状態にある。そのため、前記第８の考案の出没式筆記具１は、ペン先没入状態からペン先突出状態にする過程で、第１カム部６１と第１摺接部４１との摺接状態が解除され、蓋体５が過剰に回動することが抑えられ、ペン先３１が蓋体５に接触することを回避できる。また、前記第８の考案の出没式筆記具１は、ペン先突出状態からペン先没入状態にする過程で、ペン先３１が十分に後退した状態で、第２カム部６２と第２摺接部４２との摺接が開始され、蓋体５の回動が開始されるため、ペン先３１が蓋体５に接触することを回避できる。
【００２６】
本願の第９の考案は、前記第１乃至第８のいずれかの考案において、蓋体５の外面の両側対称位置に外側軸部５２を設け、軸筒２の前端部内面の両側対称位置に、前記外側軸部５２と係合可能な内側軸部２３を設け、前記外側軸部５２または前記内側軸部２３が凹設され、前記凹設された外側軸部５２または前記内側軸部２３が、前端孔２１の開放方向の蓋体５の回動を規制する第１規制壁部５２ａと、前端孔２１の閉鎖方向の蓋体５の回動を規制する第２規制壁部５２ｂとを備え、前記外側軸部５２と前記内側軸部２３とを係合させることにより、前記蓋体５を所定範囲内において回動可能に構成したことを特徴とする。
【００２７】
前記第９の考案の出没式筆記具１は、蓋体５の外側軸部５２と、軸筒２の内側軸部２３とを適正に係合させることができ、蓋体５と軸筒２との容易且つ確実な組み付けが可能となる。
【考案の効果】
【００２８】
本考案の出没式筆記具によれば、ペン先出没時にペン先を損傷させたり、筆記体のペン先近傍をインキで汚したりするおそれがなく、しかも、部品点数の増加を抑え、安価に提供することが可能となる。
【考案を実施するための最良の形態】
【００２９】
図１乃至図１５に、本考案の出没式筆記具の実施の形態を示す。
本実施の形態の出没式筆記具１は、前端にペン先３１を備えた筆記体３と、前記筆記体３を内部に収容する軸筒２と、前記軸筒２の前端孔２１を開閉する蓋体５と、前記蓋体５を前方に付勢し且つ筆記体３を後方に付勢する弾発体７とを備える。
【００３０】
・軸筒
軸筒２は、円筒状に形成され、合成樹脂の成形により得られる。前記軸筒２の後部側壁外面にはクリップが設けられる。前記軸筒２の後端部には、ノック体２６が突出される。
【００３１】
軸筒２内には、外部からの操作により筆記体３のペン先３１を出没させる出没機構（図示せず）が設けられる。本実施の形態では、ペン先突出操作がノック体２６の前方への押圧操作であるノック式の出没機構が採用される。具体的には、ペン先突出操作及びペン先没入操作の両操作をノック体２６の押圧操作により行なう、ダブルノック式の出没機構が採用される。尚、前記ペン先突出操作がノック体２６の前方への押圧操作であるノック式の出没機構は、これ以外に、ペン先没入操作が、軸筒側壁のクリップを径方向外方に持ち上げたり、軸筒側壁のクリップまたは解除ボタンを径方向内方に押圧したりするタイプであってもよい。
【００３２】
・第１シール部
軸筒２の前端には前端孔２１が軸方向に貫設される。前記前端孔２１を通して、筆記体３のペン先３１が出没される。前記前端孔２１の内面には環状突部よりなる第１シール部２２が形成される。前記第１シール部２２に蓋体５が密接される。前記第１シール部２２は、弾性材料により形成される。前記弾性材料からなる第１シール部２２は、軸筒２を成形する際に同時成形（２色成形）によって得ることが、製造が簡易な点から好ましいが、軸筒２の成形後、弾性材料からなる環状部品を取り付けることによって得ることもできる。
【００３３】
・内側軸部
前記軸筒２の先細状の前端部の内面には、軸方向に延びるリブよりなる内側軸部２３が一体に突出形成される。前記内側軸部２３は、前記軸筒２の前端部の内面に、軸線に対して対称位置に、一対、形成される。
【００３４】
軸筒２の前端部の内側軸部２３の後方の内面には、第１環状突起２４が一体に形成される。さらに、前記第１環状突起２４の後方の軸筒２内面には第２環状突起２５が一体に形成される。前記第１環状突起２４にバネ座部材７１が後方より乗り越え係止され、それにより、軸筒２の前端部内部から蓋体５が脱落することを防止する。また、ペン先３１が没入し且つ前端孔２１が閉鎖した状態の時、前記第２環状突起２５に筆記体３外面の第２シール部３３が環状に密接する。尚、本実施の形態では、筆記体３の外面と軸筒２の内面との確実な密接状態を得るために、筆記体３の外面に環状弾性体を固定し、第２シール部３３を設けているが、これ以外にも、本考案では、軸筒２の内面に環状弾性体を固定し、第２シール部を設けることも可能である。
【００３５】
・筆記体
前記筆記体３は、内部にインキを収容した容器３２と、前記容器３２の前端部に取り付けられるペン先３１からなる。本実施の形態では、前記ペン先３１は、繊維加工体または多孔質体からなるペン体が採用される。尚、本考案では、前記ペン先３１は、これ以外に、例えば、ボールペンチップ、プラスチック押出成形体からなるペン体、前端に切り欠き状スリットを有する金属板製ペン体、毛筆ペン体等、いずれであってもよい。
【００３６】
本実施の形態では、前記容器３２は、円筒状に形成され、合成樹脂の成形により得られる。前記容器３２は、小径部３２ｂと、該小径部３２ｂの後方に一体に連設される大径部３２ａとからなる。前記小径部３２ｂの前端は開口され、前記大径部３２ａの後端は閉鎖される。前記大径部３２ａ内にはインキを含浸させたインキ吸蔵体が収容され、前記小径部３２ｂの前端開口部にはペン先３１が圧入固着される。前記ペン先３１は、インキ吸蔵体と直接またはインキ誘導部材を介して接続される。
【００３７】
筆記体３の前端部外面（即ち小径部３２ｂの外面）には、容器３２内部に外気を取り込むためのエア孔３４が開口される。前記エア孔３４は、本実施の形態では前記小径部３２ｂの側壁に開口されているが、これ以外に、小径部３２ｂの前端開口部内面とペン先３１外面との間に設けることもできる。
【００３８】
また、本実施の形態では、筆記体３として、インキを含浸したインキ吸蔵体を容器３２内に収容するタイプ（いわゆる中綿式）を採用したが、本考案では、これ以外に、容器３２内部に直接インキを収容するタイプ(いわゆる直液式)を採用することもできる。
【００３９】
本実施の形態では、容器３の前端部（即ち小径部３２ｂ）がペン先保持部となる。これ以外にも、本考案では、前記ペン先保持部は、ペン先３１を保持し且つ容器３２の前端開口部に固着される、容器３と別部品からなるペン先保持部材の外面に一体に設ける構成であってもよい。即ち、本考案で、ペン先保持部の外面とは、ペン先３１の突出部より後方の筆記体３の前部外面をいう。
【００４０】
・第２シール部
前記容器３２の大径部３２ａの前端部外面に環状弾性体が固定され、第２シール部３３が設けられる。前記第２シール部３３は、少なくともペン先没入時に軸筒２の内面と環状に密接される。それにより、ペン先没入時、前端孔２１が閉鎖されると同時に、第２シール部３３が軸筒２内面の第２環状突起２５と環状に密接される。前記第２シール部３３は、弾性材料からなる環状部材であり、容器３２を成形する際に同時成形（２色成形）によって得ることが、製造が簡易な点から好ましいが、容器３２の成形後、弾性材料からなる環状部材を取り付けることによって得ることもできる。
【００４１】
尚、本実施の形態では、筆記体３の外面と軸筒２の内面との確実な密接状態を得るために、筆記体３の外面に環状弾性体を固定し、筆記体３の外面に第２シール部３３を形成している。本考案では、前記筆記体３の外面に環状弾性体を固定する代わりに、軸筒２の内面に環状弾性体を固定し、軸筒２の内面に第２シール部３３を形成することも可能である。前記軸筒２の内面に固定する環状弾性体は、軸筒２を成形する際に同時成形（２色成形）によって得ることが、製造が簡易な点から好ましいが、軸筒２の成形後、環状弾性体を取り付けることによって得ることもできる。
【００４２】
・外側カム部
前記ペン先保持部の前端部外面には、外側カム部４が一体に形成される。前記外側カム部４は、前記ペン先保持部の前端部外面の軸線に対する両側対称位置に、一対、形成される。前記外側カム部４は、筆記体３の軸方向の移動（即ちペン先３１の軸方向の移動）に伴い、軸方向に移動する。
【００４３】
前記外側カム部４は、第１摺接部４１と第２摺接部４２とからなる。前記第１摺接部４１は、筆記体３の軸線に対して傾斜した傾斜壁部よりなる。前記傾斜壁部は、切欠により形成される。前記第２摺接部４２は、ピン状（具体的には円柱状）の突起よりなる。前記第２摺接部４２は、前記傾斜壁部よりなる第１摺接部４１の後端より前方に離れた位置に形成される。第１摺接部４１と第２摺接部４２との間には隙間が形成される。前記隙間の幅は、蓋体５の内側カム部６の第１カム部６１と第２カム部６２との最大距離（即ち内側カム部６の最大厚み）より大きく設定される。それにより、前記第１摺接部４１と第２摺接部４２との間の隙間を前記内側カム部６が通過可能に構成される。
【００４４】
・蓋体
蓋体５は、全体が球面状の外面を備え、合成樹脂の成形により得られる。蓋体５は、一端に形成される底壁部と、前記底壁部に一体に連設される２つの側壁部とからなる。前記２つの側壁部の間に貫通溝５３が形成され、前記貫通溝５３が、前記蓋体５の底壁部の反対側において開口される。底壁部の外面には、第１シール部２２と環状に密接可能な球面状シール部５１が形成される。
【００４５】
・内側カム部
蓋体５の側壁部の対向する内面には、細長状の突出部からなる内側カム部６が一体に形成される。前記内側カム部６は、２つの側壁部の内面の両側対称位置に、一対、形成される。前記内側カム部６は、突出部の外周面の底壁部の反対側に形成される第１カム部６１と、突出部の外周面の底壁部側に形成される第２カム部６２とからなる。前記第１カム部６１は、円弧状に膨出した形状を有し、前記第２カム部６２は、略くの字状に膨出した形状を有する。前記第１カム部６１と第１摺接部４１、及び第２カム部６２と第２摺接部４２は、円滑な摺接が可能なよう、互いに点接触または線接触するように設定される。
【００４６】
・外側軸部
前記２つの側壁部の外面には、外側軸部５２が凹設される。前記外側軸部５２は、蓋体５の外面の両側対称位置に、一対、形成される。前記外側軸部５２に、前記軸筒２の内面の内側軸部２３が係合する。前記外側軸部５２は、略９０度の角度をなすように配置された第１規制壁部５２ａと第２規制壁部５２ｂとを備える。前記第１規制壁部５２ａに、前記リブよりなる内側軸部２３の側壁が当接し、それにより、前端孔２１の開放方向の蓋体５の回動が規制される［図１０（２）参照］。前記第２規制壁部５２ｂに、前記リブよりなる内側軸部２３の反対側の側壁が当接し、それにより、前端孔２１の閉鎖方向の蓋体５の回動が規制される［図１０（１）参照］。
【００４７】
・弾発体
軸筒２内部の蓋体５の後方に、圧縮コイルスプリングよりなる弾発体７が収容配置される。前記弾発体７の前端は、環状のバネ座部材７１が取り付けられる。前記バネ座部材７１が蓋体５の球面状の外面を回動可能に保持し、前記バネ座部材７１を介して弾発体７の弾発力により蓋体５が前方に常時付勢される。それにより、前記蓋体５の外面が前端孔２１内面の第１シール部２２に常時密接状態で、蓋体５が回動可能となる。一方、前記弾発体７の後端は、筆記体３の外面の段部に当接され（具体的には第２シール部３３に当接され）、筆記体３が後方に常時付勢される。尚、本実施の形態では、蓋体５と弾発体７との間にバネ座部材７１を設けているが、本考案では、これ以外にも、圧縮コイルスプリングからなる弾発体の前端に座巻部を設け、該座巻部を蓋体５の球面状の外面に直接、当接させる構成でもよい。
【００４８】
・ペン先突出作動
本実施の形態の出没式筆記具１のペン先突出作動を図１２及び図１３に示す。
本実施の形態の出没式筆記具１をペン先没入状態からペン先突出状態にするために、弾発体７の弾発力に抗してノック体２６を前方に押圧すると、軸筒２内部を筆記体３が前方に移動し、その筆記体３の前方移動に伴い外側カム部４が前方に移動し、最初に、第１カム部６１と第１摺接部４１が当接する［図１２（１）〜図１２（２）参照］。そして、筆記体３が前方に移動するに従って、第１カム部６１が第１摺接部４１に沿って摺接する。前記第１カム部６１と第１摺接部４１の摺接に伴い、第１摺接部４１が第１カム部６１を前方且つ径方向外方に押圧する。それにより、蓋体５が回動し（図面では反時計回り）、前端孔２１の第１シール部２２と蓋体５の球面状シール部５１との密接が解除され、蓋体５の貫通溝５３と前端孔２１が連通し、前端孔２１が次第に大きく開放される［図１２（３）〜図１３（１）参照］。そして、第１カム部６１と第１摺接部４１との摺接が終了し、第１カム部６１が第１摺接部４１から離れる［図１３（２）参照］。そして、第１摺接部４１が第１カム部６１よりも前方に移動し、前記開放された前端孔２１からペン先３１が外部に突出され、出没機構のペン先突出状態が維持され、筆記使用可能となる［図１３（３）参照］。
【００４９】
・ペン先没入作動
本実施の形態の出没式筆記具１のペン先没入作動を図１４及び図１５に示す。
本実施の形態の出没式筆記具１をペン先突出状態からペン先没入状態にするために、ノック体２６を前方に押圧すると、出没機構のペン先突出状態が解除され、弾発体７の弾発力により、軸筒２内部を筆記体３が後方に移動する。筆記体３が後方に移動することにより、筆記体３のペン先３１が軸筒２内に没入し、その後、第２カム部６２と第２摺接部４２とが当接する［図１４（１）〜図１４（２）参照］。さらに、筆記体３の後方移動に従って、第２摺接部４２が第２カム部６２に沿って摺接する。前記第２摺接部４２と第２カム部６２との摺接に伴い、第２摺接部４２が第２カム部６２を後方且つ径方向内方に押圧する。それにより、蓋体５が回動し（図面では時計回り）、蓋体５の貫通溝５３と前端孔２１との連通状態が次第に解除され、前端孔２１が次第に閉鎖される［図１４（３）〜図１５（２）参照］。そして、最後に前端孔２１の第１シール部２２と蓋体５の球面状シール部５１とが環状に密接し、前端孔２１が完全に閉鎖される［図１５（３）参照］。このとき、筆記体３の外面と軸筒２の内面（具体的には筆記体３外面の第２シール部３３と軸筒２内面の第２環状突起２５）とが環状に密接し、前記前端孔２１の第１シール部２２と第２シール部３３との間に、密封空間を構成でき、前記密封空間に、筆記体３のペン先突出部及びエア孔３４の開口部を収容する。それにより、ペン先没入状態（非筆記使用時）のペン先３１及びエア孔３４からのインキの蒸発を防止できる。
【００５０】
本実施の形態の出没式筆記具１は、筆記体３の容器３２前端からのペン先３１の突出長さ、筆記体３の外面の外側カム部４の位置や形状、蓋体５の内面の内側カム部６の位置や形状、または蓋体３の底壁部内面の位置や形状等が、適宜設定される。それにより、本実施の形態の出没式筆記具１は、ペン先突出過程及びペン先没入過程で、ペン先３１は蓋体５に接触しないよう設定される。そのため、ペン先３１の損傷やペン先３１近傍のインキ汚れの発生を防止できる。
【図面の簡単な説明】
【００５１】
【図１】本考案の実施の形態のペン先没入状態を示す一部切欠縦断面図である。
【図２】図１の要部拡大図である。
【図３】本考案の実施の形態のペン先突出状態を示す一部切欠縦断面図である。
【図４】図３の要部拡大図である。
【図５】図１の内部構造を示す斜視図である。（２点鎖線は軸筒を示す。）
【図６】図２の内部構造を示す斜視図である。（２点鎖線は軸筒を示す。）
【図７】本考案の実施の形態の軸筒の前端部内面を示す縦断面斜視図である。
【図８】本考案の実施の形態の蓋部の球面状シール部側からの斜視図である。
【図９】本考案の実施の形態の蓋体の貫通溝側からの斜視図である。
【図１０】本考案の実施の形態の外側軸部と内側軸部との関係を示す説明図であり、（１）が前端孔の閉鎖状態を示し、（２）が前端孔の開放状態を示す。
【図１１】本考案の実施の形態の筆記体のペン先側を示す斜視図である。
【図１２】本考案の実施の形態のペン先没入状態からペン先突出状態までの途中の過程を示す。（１）がペン先没入状態を示し、（２）が第１カム部と第１摺接部との摺接開始状態を示し、（３）が第１カム部と第１摺接部との摺接状態を示す。
【図１３】本考案の実施の形態の第１カム部と第１摺接部との摺接状態からペン先突出状態までの過程を示す。（１）が前記図１２（３）の次の状態を示し、（２）が前記図１３（１）の次の状態を示し、（３）がペン先突出状態を示す。
【図１４】本考案の実施の形態のペン先突出状態からペン先没入状態までの途中の過程を示す。（１）がペン先突出状態を示し、（２）が第２カム部と第２摺接部との摺接開始状態を示し、（３）が第２カム部と第２摺接部との摺接状態を示す。
【図１５】本考案の実施の形態の第２カム部と第２摺接部との摺接状態からペン先没入状態までの過程を示す。（１）が前記図１４（３）の次の状態を示し、（２）が前記図１５（１）の次の状態を示し、（３）がペン先没入状態を示す。
【符号の説明】
【００５２】
１  出没式筆記具
２  軸筒
２１  前端孔
２２  第１シール部
２３  内側軸部
２４  第１環状突起
２５  第２環状突起
２６  ノック体
３  筆記体
３１  ペン先
３２  容器
３２ａ  大径部
３２ｂ  小径部（ペン先保持部）
３３  第２シール部
３４  エア孔
４  外側カム部
４１  第１摺接部
４２  第２摺接部
５  蓋体
５１  球面状シール部
５２  外側軸部
５２ａ  第１規制壁部
５２ｂ  第２規制壁部
５３  貫通溝
６  内側カム部    
６１  第１カム部
６２  第２カム部
７  弾発体
７１  バネ座部材
【図１】
0003155532.tif 000003
【図２】
0003155532.tif 000004
【図３】
0003155532.tif 000005
【図４】
0003155532.tif 000006
【図５】
0003155532.tif 000007
【図６】
0003155532.tif 000008
【図７】
0003155532.tif 000009
【図８】
0003155532.tif 000010
【図９】
0003155532.tif 000011
【図１０】
0003155532.tif 000012
【図１１】
0003155532.tif 000013
【図１２】
0003155532.tif 000014
【図１３】
0003155532.tif 000015
【図１４】
0003155532.tif 000016
【図１５】
0003155532.tif 000017